(57)【要約】【課題】本発明は、簡略な構成で長尺方向に曲がった取付面に取り付けてスイッチ動作を確実に実行可能な曲がり長尺スイッチを提供する。【解決手段】本発明の曲がり長尺スイッチは、厚さ方向に曲げ性を有する一対の長尺電極板４を用いたスイッチ部５と、曲がった取付面に添って曲げて取り付け可能であり、スイッチ部５を一対の長尺電極板４の対向方向が取付面と平行になるように、且つ、曲げ可能に内装するとともに、取付面に向かう外力Ｆ１を受けて変形する受圧部７ａと、この受圧部７ａの変形に応じて変形し、前記外力Ｆ１を方向変換したスイッチ部５の一対の長尺電極板４の対向方向からの押圧力Ｆ２としてスイッチ部５に伝達する変形部７ｂとを具備する弾性、可撓性を有する長尺の外被６とを有するものである。【選択図】図４
2006100035.tif 000002
【特許請求の範囲】
【請求項１】
曲がった取付面に添って取り付ける曲がり長尺スイッチであって、
厚さ方向に曲げ性を有する一対の長尺電極板を用いたスイッチ部と、
曲がった取付面に添って曲げて取り付け可能であるとともに、前記スイッチ部を一対の長尺電極板の対向方向が前記取付面と平行で、且つ、取付面に対応して曲げ可能に内装し、前記取付面に向かう外力を前記スイッチ部の一対の長尺電極板の対向方向への力に変換してスイッチ部への押圧力として伝達する力方向変換機能を備えた外被と、
を有することを特徴とする曲がり長尺スイッチ。
【請求項２】
曲がった取付面に添って取り付ける曲がり長尺スイッチであって、
厚さ方向に曲げ性を有する一対の長尺電極板を用いたスイッチ部と、
曲がった取付面に添って曲げて取り付け可能であるとともに、前記スイッチ部を一対の長尺電極板の対向方向が前記取付面と平行になるように、且つ、曲げ可能に内装するとともに、前記取付面に向かう外力を受けて変形する受圧部と、この受圧部の変形に応じて変形し、前記外力を方向変換した前記スイッチ部の一対の長尺電極板の対向方向からの押圧力として前記スイッチ部に伝達する変形部とを具備する弾性、可撓性を有する長尺の外被と、
を有することを特徴とする曲がり長尺スイッチ。
【請求項３】
曲がった取付面に添って取り付ける曲がり長尺スイッチであって、
厚さ方向に曲げ性を有する一対の長尺電極板を用いたスイッチ部と、
曲がった取付面に添って曲げて取り付け可能であるとともに、前記スイッチ部を一対の長尺電極板の対向方向が前記取付面と平行になるように、且つ、曲げ可能に内装するスイッチ部収容部と、前記取付面に向かう外力を受けて変形する受圧部と、この受圧部の変形に応じて変形し、前記外力を方向変換して前記スイッチ部収容部に収容したスイッチ部の一対の長尺電極板の対向方向からの押圧力として前記スイッチ部に伝達する変形部とを具備する弾性、可撓性を有する長尺の外被と、
を有することを特徴とする曲がり長尺スイッチ。
【請求項４】
曲がった取付面に添って取り付ける曲がり長尺スイッチであって、
厚さ方向に曲げ性を有する一対の長尺電極板を用いたスイッチ部と、
曲がった取付面に添って曲げて取り付け可能であるとともに、前記スイッチ部を一対の長尺電極板の対向方向が前記取付面と平行になるように、且つ、曲げ可能に内装した弾性、可撓性を有する長尺の外被と、
この外被と前記一対の長尺電極板を用いたスイッチ部との間に介在した前記取付面に向かう外力を受けて変形し前記スイッチ部の一対の長尺電極板の対向方向への力に変換してスイッチ部に伝達する弾性、可撓性を有する長尺の力方向変換部材と、
を有することを特徴とする曲がり長尺スイッチ。
【請求項５】
曲がった取付面に添って取り付ける曲がり長尺スイッチであって、
厚さ方向に曲げ性を有する一対の長尺電極板を用いたスイッチ部と、
曲がった取付面に添って曲げて取り付け可能であるとともに、前記スイッチ部を一対の長尺電極板の対向方向が前記取付面と平行になるように、且つ、曲げ可能に内装した弾性、可撓性を有する長尺の外被と、
この外被と前記一対の長尺電極板を用いたスイッチ部との間に介在し、前記取付面に向かう外力を前記スイッチ部の一対の長尺電極板の対向方向への力に変換してスイッチ部に伝達する弾性を有し、長尺で間隔をおいてスリット部を設けた弾性、可撓性を有する力方向変換部材と、
を有することを特徴とする曲がり長尺スイッチ。
【請求項６】
曲がった取付面に添って取り付ける曲がり長尺スイッチであって、
厚さ方向に曲げ性を有する一対の長尺電極板を用いたスイッチ部と、
曲がった取付面に添って曲げて取り付け可能であるとともに、外力により変形を受ける外殻部分と、外力により変形を受けない非変形部と、前記外殻部分と非変形部との間に設けた前記スイッチ部を一対の長尺電極板の対向方向が前記取付面と平行になるようにかつ曲げ可能に内装するスイッチ部収容部とを具備し、前記外殻部分に作用する外力により外殻部分の変形に応じて前記スイッチ部を変位させて前記非変形部に押し付けることでスイッチ部をオン動作させる弾性、可撓性を有する長尺の外被と、
を有することを特徴とする曲がり長尺スイッチ。
【請求項７】
曲がった取付面に添って取り付ける曲がり長尺スイッチであって、
厚さ方向に曲げ性を有する一対の長尺電極板を用いたスイッチ部と、
曲がった取付面に添って曲げて取り付け可能であるとともに、外力により変形を受ける中空の外殻部分と、この外殻部分の内部に形成した外力により変形を受けない突片状の非変形部と、前記外殻部分の内側で非変形部の両側に対称配置に設けた２個のスイッチ部を一対の長尺電極板の対向方向が前記取付面と平行になるようにかつ曲げ可能に内装可能な一対のスイッチ部収容部とを具備し、前記外殻部分に作用する外力により外殻部分の変形に応じて一対のスイッチ部収容部に収容する２個又は１個のスイッチ部を変位させて前記非変形部に押し付けることで当該スイッチ部をオン動作させる弾性、可撓性を有する長尺の外被と、
を有することを特徴とする曲がり長尺スイッチ。
【発明の詳細な説明】
【技術分野】
【０００１】
本発明は、曲がり長尺スイッチに関し、詳しくは、車両の扉等の曲がった戸先部又は戸当部に取り付けて好適な長尺スイッチに関するものである。
【背景技術】
【０００２】
従来の長尺スイッチ３０について、図１４、図１５を参照して説明する。
この長尺スイッチ３０は、板状で短冊状に形成した一対の電極板３１、３２により構成したスイッチ部３３を絶縁材からなる外被３４に内蔵し、取付面３５に取り付けて、前記取付面に対して垂直方向から作用する外力Ｆにより外被３４を介して電極板３１、３２を接触させてスイッチ動作を行うように構成している。
【０００３】
前記長尺スイッチ３０の板状の電極板３１、３２は、前記取付面３５と平行に配置されているのが通常である。このような従来の長尺スイッチ３０は、例えば無人車のバンパ等に取り付けて衝突検知を行う用途等を有している。
【０００４】
このような長尺スイッチ３０を、例えば図１６に示すように、車両の扉４０の戸先部４１等のような取付面に取り付けて使用する場合、車両の扉４０の戸先部４１が曲がりの無い真っすぐな形状であれば、前記長尺スイッチ３０のスイッチ機能を支障なく発揮させることができる。
【０００５】
しかしながら、近年、例えば新幹線車両や、特急電車の車両のように、鉄道車両の車体外形が車両の進行方向から見てその下部が曲がった曲線形状に構成されるものが多くなってきている。
【０００６】
このため、鉄道車両の扉の形状も、その下部が曲がった曲線形状に形成されている。このような扉の戸先部に、前記長尺スイッチ３０を取り付け、乗客の人体や異物等が挟まれたことを検知しようとする場合、長尺スイッチ３０の形状も扉の戸先部の曲がりに対応して曲がった形状のものが必要となる。
【０００７】
しかし、従来の長尺スイッチ３０の場合には、その電極板３１、３２の曲げ可能方向の制約からかかる曲がった形状とすることは不可能である。すなわち、電極板３１、３２の曲げ可能方向は、その厚さ方向であり、電極板３１、３２の長手方向及び厚さ方向と直交する幅方向に曲げた形状とすることはできない。
【０００８】
特許文献１には、列車の扉の戸先部と戸当部との間に、分割配置のセンサ部の組を多数配置し、センサ部の組毎の導通、不導通動作の相違により戸閉異常、すなわち、異常物の検知を行う構成とした戸閉異常検知装置が提案されている。
【０００９】
しかし、特許文献１の戸閉異常検知装置の場合、曲がった形状の戸先部、戸当部にも対応できるものの、分割配置のセンサ部の組を多数配置する構成であるため、全体として配線が複雑になるとという問題を包含している。また、戸先部の曲がった形状に対応してセンサ部を貼り付けることが必要になること、曲がった部分に貼り付けたセンサ部が浮き上がる惧れがあること、電極部分が外部にさらされて酸化してしまう惧れがあること等の問題を包含している。
【特許文献１】特開平１０−０８１２３４号公報
【発明の開示】
【発明が解決しようとする課題】
【００１０】
解決しようとする問題点は、簡略な構成で長尺方向に曲がった取付面に取り付けてスイッチ動作を確実に実行可能な曲がり長尺スイッチが存在しない点である。
【課題を解決するための手段】
【００１１】
本発明は、曲がった取付面に添って取り付ける曲がり長尺スイッチであり、厚さ方向に曲げ性を有する一対の長尺電極板を用いたスイッチ部と、曲がった取付面に添って曲げて取り付け可能であるとともに、前記スイッチ部を一対の長尺電極板の対向方向が前記取付面と平行で、且つ、取付面に対応して曲げ可能に内装し、前記取付面に向かう外力を前記スイッチ部の一対の長尺電極板の対向方向への力に変換してスイッチ部への押圧力として伝達する力方向変換機能を備えた外被とを有することを最も主要な特徴とする。
【発明の効果】
【００１２】
本発明によれば、以下の効果を奏する。
請求項１記載の発明によれば、曲がった取付面に添って曲げて取り付け可能であり、スイッチ部を一対の長尺電極板の対向方向が前記取付面と平行で、且つ、取付面に対応して曲げ可能に内装した外被を具備し、且つ、外被の力方向変換機能により、前記取付面に向かう外力を前記スイッチ部の一対の長尺電極板の対向方向への力に変換してスイッチ部への押圧力として伝達するようにした簡略な構成で、長尺方向に曲がった取付面に添って取り付けた状態においてスイッチ動作を確実に実行させることができる曲がり長尺スイッチを提供できる。
【００１３】
請求項２記載の発明によれば、曲がった取付面に添って曲げて取り付け可能であり、スイッチ部を一対の長尺電極板の対向方向が前記取付面と平行で、且つ、取付面に対応して曲げ可能に内装した外被を具備し、この外被に取付面に向かう外力を受けて変形する受圧部と、この受圧部の変形に応じて変形し、前記外力を方向変換した前記スイッチ部の一対の長尺電極板の対向方向からの押圧力として前記スイッチ部に伝達する変形部とを設けているので、簡略な構成で、長尺方向に曲がった取付面に添って取り付けた状態においてスイッチ動作を確実に実行させることができる曲がり長尺スイッチを提供できる。
【００１４】
請求項３記載の発明によれば、曲がった取付面に添って曲げて取り付け可能であり、スイッチ部を一対の長尺電極板の対向方向が前記取付面と平行になるようにかつ曲げ可能に内装するスイッチ部収容部と、前記取付面に向かう外力を受けて変形する受圧部と、この受圧部の変形に応じて変形し、前記外力を方向変換して前記スイッチ部収容部に収容したスイッチ部の一対の長尺電極板の対向方向からの押圧力として前記スイッチ部に伝達する変形部とを有する長尺の外被を備えているので、請求項２記載の発明と同様、簡略な構成で、長尺方向に曲がった取付面に添って取り付けた状態においてスイッチ動作を確実に実行させることができる曲がり長尺スイッチを提供できる。
【００１５】
請求項４記載の発明によれば、曲がった取付面に添って曲げて取り付け可能であり、スイッチ部を一対の長尺電極板の対向方向が前記取付面と平行で、且つ、取付面に対応して曲げ可能に内装した外被を具備し、更に、この外被と前記スイッチ部との間に、前記取付面に向かう外力を受けて変形し前記スイッチ部の一対の長尺電極板の対向方向への力に変換してスイッチ部に伝達する弾性、可撓性を有する長尺の力方向変換部材を介在しているので、簡略な構成で、長尺方向に曲がった取付面に添って取り付けた状態において力方向変換部材の変形によるスイッチ動作を確実に実行させることができる曲がり長尺スイッチを提供できる。
【００１６】
請求項５記載の発明によれば、請求項３記載の発明の効果に加え、前記力方向変換部材がスリット部を有するので、曲げ易く取付面への取り付け性に優れた曲がり長尺スイッチを提供することができる。
【００１７】
請求項６記載の発明によれば、曲がった取付面に添って曲げて取り付け可能であるとともに、外力により変形を受ける外殻部分と、外力により変形を受けない非変形部と、前記外殻部分と非変形部との間に設けた前記スイッチ部を一対の長尺電極板の対向方向が前記取付面と平行になるようにかつ曲げ可能に内装するスイッチ部収容部とを有する外被を有し、外殻部分に作用する外力によりこの外殻部分の変形に応じて前記スイッチ部を変位させて前記非変形部に押し付けることでスイッチ部をオン動作させるように構成しているので、簡略な構成で、長尺方向に曲がった取付面に添って取り付けた状態において外殻部分に作用する外力に応じてスイッチ部自体を変位させてスイッチ動作を確実に実行させることができる曲がり長尺スイッチを提供できる。
【００１８】
請求項７記載の発明によれば、請求項６記載の発明の効果を奏することに加えて、スイッチ部収容部を２箇所備えていることから、２個又は１個のスイッチ部を選択的に収容して各々の場合にスイッチ動作を確実に実行させることができる曲がり長尺スイッチを提供できる。
【発明を実施するための最良の形態】
【００１９】
本発明は、簡略な構成で長尺方向に曲がった取付面に取り付けてスイッチ動作を確実に実行可能な曲がり長尺スイッチを提供するという目的を、曲がった取付面に添って取り付ける曲がり長尺スイッチであって、厚さ方向に曲げ性を有する一対の長尺電極板を用いたスイッチ部と、曲がった取付面に添って曲げて取り付け可能であり、前記スイッチ部を一対の長尺電極板の対向方向が前記取付面と平行になるように、且つ、曲げ可能に内装するとともに、前記取付面に向かう外力を受けて変形する受圧部と、この受圧部の変形に応じて変形し、前記外力を方向変換した前記スイッチ部の一対の長尺電極板の対向方向からの押圧力として前記スイッチ部に伝達する変形部とを具備する弾性、可撓性を有する長尺の外被とを有する構成により実現した。
【実施例】
【００２０】
以下に、本発明の実施例を詳細に説明する。
（実施例１）
図１乃至図４を参照して本発明の実施例１の曲がり長尺スイッチ１に付いて説明する。なお、Ｘ，Ｙ，Ｚ座標軸を図１に示すように定義して以下の説明を行う。
【００２１】
図１、図２に示す本実施例１の曲がり長尺スイッチ１は、例えば、鉄道車両の扉２におけるＺ方向（扉２の高さ方向）に関して、下部が鉄道車両の内方に曲がった取付面である戸先部３の端面に添って取り付け、スイッチ機能を発揮させるように構成している。図１中、９は、前記戸先部３が当接する戸当部である。
【００２２】
この曲がり長尺スイッチ１は、図３に露出状態として示すように、前記戸先部３のＺ方向の曲がりに対応する曲げ性、すなわち、厚さ方向（Ｙ方向）に曲げ性を有し、且つ、対向配置した一対の短冊状の導体金属からなる長尺電極板４、４を用い、絶縁材からなるスイッチ外被５ａにより覆ったスイッチ部５と、前記戸先部３のＺ方向の曲がりに対応する形状に曲げ可能であるとともに、前記スイッチ部５の長尺電極板４、４を内装し、該戸先部３に向かうＸ方向の外力Ｆ１を前記スイッチ部５の一対の長尺電極板４、４の対向方向（Ｙ方向）への力Ｆ２に変換してスイッチ部５の長尺電極板４、４に伝達する力方向変換機能を備えた弾性、可撓性を有する中空状の外被６とを有している。
【００２３】
前記外被６は、前記スイッチ部５を内装する中空の内装体７と、前記戸先部３への取付体８とを嵌合した構成としている。
【００２４】
前記内装体７は、図２示すように、例えば弾性を有する絶縁材としての合成樹脂材により、前記スイッチ部５を内装する中空部７ｄを有する筒状に形成され、且つ、前記外力Ｆ１を受ける外周が曲面状の受圧部７ａをＸ方向側の突出端側に備えるとともに、前記スイッチ部５の長尺電極板４、４と対向するＹ方向の両側に受圧部７ａに作用する外力Ｆ１に応じて内方向（Ｙ方向）に変形し、前記長尺電極板４、４の外面に外力Ｆ１を方向変換したＹ方向の力Ｆ２を付与する変形部７ｂ、７ｂを備え、更に、受圧部７ａと反対側には取付体８との嵌合用のハの字状の突片７ｃ、７ｃを設けている。
【００２５】
前記取付体８は、合成樹脂材により形成され、Ｘ方向側の一方の端面には前記戸先部３への取付面８ａを備え、取付面８ａの反対側には前記ハの字状の突片７ｃ、７ｃがＺ方向から嵌合可能なハの字状を呈する嵌合受部８ｃ、８ｃを設けている。そして、前記内装体７と前記取付体８とを嵌合状態とし、前記取付面８ａを前記戸先部３に添って接着による貼り付け又はボルト止め等の手段で取り付け、固定するように構成している。
【００２６】
次に、図４を参照して本実施例１の曲がり長尺スイッチ１のスイッチ動作について説明する。この曲がり長尺スイッチ１を鉄道車両の扉２の戸先部３に曲げて取り付け、スイッチ部５がオフ状態となっている場合において、扉２が閉じる際に乗客又は荷物等の存在のため、長尺スイッチ１のいずれかの部分（直線部分、曲がり部分を問わない）において前記受圧部７ａにＸ方向の外力Ｆ１が作用すると、受圧部７ａは外力Ｆ１に応じて変形し、これに伴い前記変形部７ｂ、７ｂは、受圧部７ａに作用する外力Ｆ１に応じて内方向（Ｙ方向）に撓んで変形し、前記長尺電極板４、４の外面に外力Ｆ１を方向変換したＹ方向の力Ｆ２を付与する。この結果、長尺電極板４、４は、接触状態、すなわち前記スイッチ部５はオン状態となり、これにより乗客又は荷物等の存在を示す異常状態を検知することができる。
【００２７】
前記外力Ｆ１が除去されれば、前記受圧部７ａ、変形部７ｂ、７ｂは元の状態に復元し、前記長尺電極板４、４もその弾性により元の状態、すなわち、オフ状態に戻る。
【００２８】
このようにして、本実施例１の曲がり長尺スイッチ１によれば、前記スイッチ部５と、前記外被６とからなる簡略な構成で、長尺方向に曲がった取付面である鉄道車両の扉２の戸先部３に添って取り付けた状態においてスイッチ動作を確実に実行させることが可能となる。
【００２９】
次に、図５、図６を参照して本実施例１の曲がり長尺スイッチ１の変形例である曲がり長尺スイッチ１Ａについて説明する。
【００３０】
この曲がり長尺スイッチ１Ａは、前記戸先部３のＺ方向の曲がりに対応する曲げ性、すなわち、厚さ方向（Ｙ方向）に曲げ性を有し、且つ、対向配置した一対の短冊状の導体金属からなる長尺電極板４、４を用い、絶縁材からなるスイッチ外被５ａにより覆った実施例１の場合と同様なスイッチ部５と、前記戸先部３のＺ方向の曲がりに対応する形状に曲げ可能であるとともに、前記スイッチ部５を一対の長尺電極板４、４の対向方向が前記取付面８ａと平行になるように、且つ、曲げ可能に内装するスイッチ部収容部１１と、前記取付面８ａに向かう外力Ｆ１（Ｘ方向）を受けて変形する中空筒状の受圧部１２と、この受圧部１２の変形に応じて変形し、前記外力Ｆ１を方向変換して前記スイッチ部収容部１１に収容したスイッチ部５の一対の長尺電極板４、４の対向方向からの押圧力（Ｙ方向）として前記スイッチ部５に伝達する前記受圧部１２内の中空部分の略中央部分に一体に形成した山形状の変形部１３とからなる内装体１４により構成される弾性、可撓性を有する長尺の外被１５とを有している。
【００３１】
更に、前記外被１５は、前記スイッチ部５を内装する中空の内装体１４と、前記戸先部３への取付体８とを嵌合した構成としている。
【００３２】
前記内装体１４は、図５に示すように、例えば弾性を有する合成樹脂材により形成されるとともに、中空内部の一端側にこの内装体１４の長さ方向に沿った前記スイッチ部５を収容可能な長尺のスイッチ部収容部１１を備えるとともに、このスイッチ部収容部１１に収容されるスイッチ部５の力受部５ｂに、前記変形部１３の突出端１３ａを臨ませている。
【００３３】
前記内装体１４と、取付体８とは、内装体１４の前記受圧部１２とは反対側に連結部１６ａにより一体に連結した断面略長方形状の突片１６と、取付体８に設けた連結部１６ａ及び突片１６に対応する形状の受穴８ｄとを嵌合することで連結するように構成している。
【００３４】
そして、前記内装体１４と前記取付体８とを嵌合状態とし、前記取付面８ａを前記戸先部３に添って接着による貼り付け又はボルト止め等の手段で取り付け、固定するように構成している。
【００３５】
次に、図６を参照して前記曲がり長尺スイッチ１Ａのスイッチ動作について説明する。この曲がり長尺スイッチ１Ａを鉄道車両の扉２の戸先部３に曲げて取り付け、スイッチ部５がオフ状態となっている場合において、扉２が閉じる際に乗客又は荷物等の存在のため、曲がり長尺スイッチ１のいずれかの部分（直線部分、曲がり部分を問わない）において前記受圧部１２にＸ方向の外力Ｆ１が作用すると、図６に示すように、前記受圧部１２は外力Ｆ１に応じて変形し、これに伴い前記変形部１３、従って突出端１３ａは前記外力Ｆ１に応じて図６に示すＹ方向に膨出するように変形し、前記長尺電極板４、４の力受部５ｂに接触し、前記外力Ｆ１を方向変換したＹ方向の力Ｆ２を付与する。
【００３６】
この結果、長尺電極板４、４は、接触状態、すなわち、前記スイッチ部５はオン状態となり、これにより乗客又は荷物等の存在を示す異常状態を検知することができる。
【００３７】
前記外力Ｆ１が除去されれば、前記受圧部１２、変形部１３は元の状態に復元し、前記長尺電極板４、４もその弾性により元の状態、すなわち、オフ状態に戻る。
このようにして、本変形例の曲がり長尺スイッチ１Ａによれば、外被１５にスイッチ部収容部１１、受圧部１２、変形部１３を設けた構成で、実施例１の曲がり長尺スイッチ１の場合と同様、前記スイッチ部５と、前記外被６とからなる簡略な構成で、長尺方向に曲がった鉄道車両の扉２の戸先部３に添って取り付けた状態においてスイッチ動作を確実に実行させ異常状態を的確に検知することが可能となる。
【００３８】
（実施例２）
図７乃至図１０を参照して本発明の実施例２の曲がり長尺スイッチ２１に付いて説明する。なお、実施例２の曲がり長尺スイッチ２１において、図１、図２に示す曲がり長尺スイッチ１の場合と同一の要素には同一の符号を付して示す。
【００３９】
本実施例２の曲がり長尺スイッチ２１は、図７、図８に示すように、実施例１の場合と同様な形状の一対の短冊状の長尺電極板４、４を用いたスイッチ部５を、前記戸先部３のＺ方向の曲がりに対応する曲がり形状となるように形成した中空状で弾性を有する前記外被６と略同様な構造の外被２２に内装するとともに、外被２２とスイッチ部５との間に介在した弾性を有する力方向変換部材２３を有する構成としている。
【００４０】
外被２２は、前記スイッチ部５を一対の長尺電極板４、４の対向方向が前記扉２の戸先部３の端面と平行になるように内装している。
【００４１】
前記力方向変換部材２３は、図８に示すようにその断面形状から見て、一端２３ａが前記外被２２内で長さ方向に添って固定されるとともに、他端（自由端）２３ｂ側が前記スイッチ部５を囲むようにように略６の字状に曲げられ、その他端２３ｂを前記スイッチ部５の長尺電極板４の幅方向（Ｘ方向）の略中央部近傍に臨む位置となるように構成している。
【００４２】
すなわち、前記力方向変換部材２３におけるＸ方向に最も突出した突出部２３ｃが実施例１の前記受圧部７ａに対応し、前記他端２３ｂが実施例１の前記変形部７ｂに対応する構成となっている。
【００４３】
次に、図９を参照して本実施例２の曲がり長尺スイッチ２１のスイッチ動作について説明する。
この曲がり長尺スイッチ２１を鉄道車両の扉２の戸先部３に取り付け、スイッチ部５がオフ状態となっている場合において、扉２が閉じる際に乗客又は荷物等の存在のため、長尺スイッチ２１のいずれかの部分（直線部分、曲がり部分を問わない）において前記外被２２を介して力方向変換部材２３における突出部２３ｃにＸ方向の外力Ｆ１が作用すると、突出部２３ｃは外力Ｆ１に応じて変形し（撓み）、これに伴い前記他端２３ｂが前記長尺電極板４の幅方向（Ｘ方向）の略中央部に接触する方向に変位してスイッチ部５に押圧力を付与する。
【００４４】
この結果、長尺電極板４、４は、接触状態、すなわち前記スイッチ部５はオン状態となり、これにより乗客又は荷物等の存在を示す異常状態を検知することができる。
【００４５】
前記外力Ｆ１が除去されれば、前記突出部２３ｃ、他端２３ｂは元の状態に復元し、前記長尺電極板４、４もその弾性により元の状態、すなわち、オフ状態に戻る。
【００４６】
このようにして、本実施例２の曲がり長尺スイッチ２１によれば、前記スイッチ部５と、前記外被２２と、力方向変換部材２３とからなり、前記戸先部３のＺ方向の曲がり形状に対応して配置することができ、長尺方向に曲がった取付面である鉄道車両の扉２の戸先部３に添って取り付けた状態においてスイッチ動作を確実に実行させることが可能となる。
【００４７】
図１０は、長尺スイッチ２１における前記力方向変換部材２３の変形例である力方向変換部材２３Ａを示すものであり、この力方向変換部材２３Ａは、基本的構成は前記力方向変換部材２３と同様であるが、その長さ方向に添って間隔をおいて多数のスリット部２４を設けたことが特徴である。
【００４８】
この力方向変換部材２３Ａを採用した長尺スイッチ２１によれば、既述した作用、効果を奏することに加え、前記多数のスリット部２４の存在により曲げ易くなり戸先部３のＺ方向の曲がり形状に対応して配置する際の取り付け性が良好となる。
【００４９】
（実施例３）
次に、図１１、図１２を参照して本発明の実施例３について説明する。本実施例３の曲がり長尺スイッチ１Ｂにおいて、図５に示す曲がり長尺スイッチ１Ａと同一の機能を有する要素には同一の符号を付して示す。
【００５０】
本実施例３の曲がり長尺スイッチ１Ｂは、図１１に示すように、前記戸先部３のＺ方向の曲がりに対応する曲げ性、すなわち、厚さ方向（Ｙ方向）に曲げ性を有し、且つ、対向配置した一対の短冊状の導体金属からなる長尺電極板４、４を用い、絶縁材からなるスイッチ外被５ａにより覆った実施例１の場合と同様なスイッチ部５と、外力Ｆ１により変形を受ける中空筒状で長尺の外殻部分２６と、この外殻部分２６の内部に一体形成した外力Ｆ１により変形を受けない図１１において下方に突出する山形突片状で長尺の非変形部２７と、前記外殻部分２６の内側で非変形部２７の両側に対称配置に設けた前記スイッチ部５を２個各々一対の長尺電極板４、４の対向方向が前記取付面８ａと平行になるように、且つ、曲げ可能に内装可能な一対の対称形状の長尺の溝状のスイッチ部収容部２８、２８とを具備する中空筒状の内装体２９を有する外被２５を備えている。更に、前記外被２５は、図５に示す場合と同様な構造からなる前記戸先部３への取付体８を嵌合した構成としている。
【００５１】
そして、前記内装体２９と前記取付体８とを嵌合状態とし、前記取付面８ａを前記戸先部３に添って接着による貼り付け又はボルト止め等の手段で取り付けて固定するように構成している。
【００５２】
前記スイッチ部収容部２８、２８は、図１１において左右対称形状に形成され、その一方に前記スイッチ部５を内装し、又は双方に左右対称配置に前記スイッチ部５を２個内装し、スイッチ部５の力受部５ｂを前記非変形部２７の壁面２７ａに小距離を隔て対向配置する構成としている。
【００５３】
本実施例３の曲がり長尺スイッチ１Ｂによれば、この曲がり長尺スイッチ１Ｂを鉄道車両の扉２の戸先部３に曲げて取り付け、スイッチ部５がオフ状態となっている場合において、扉２が閉じる際に乗客又は荷物等の存在のため、曲がり長尺スイッチ１Ｂのいずれかの部分（直線部分、曲がり部分を問わない）において前記外殻部分２６にＸ方向の外力Ｆ１が作用すると、外殻部分２６が変形し、この外殻部分２６の変形に応じて外殻部分２６自体が一対のスイッチ部収容部２８、２８のうちの例えば一方に収容したスイッチ部５を図１２に示すようにＹ方向に変位させ、その力受部５ｂを前記非変形部２７の壁面２７ａに押し付ける。
【００５４】
この結果、前記スイッチ部５はオン状態となり、これにより鉄道車両の扉２の戸先部３における乗客又は荷物等の存在を示す異常状態を検知することができる。
【００５５】
前記外力Ｆ１が除去されれば、前記外殻部分２６、従ってスイッチ部５は元の状態に復元し、前記長尺電極板４、４もその弾性により元の状態、すなわち、オフ状態に戻る。
【００５６】
このようにして、本実施例３の曲がり長尺スイッチ１Ｂによれば、長尺方向に曲がった鉄道車両の扉２の戸先部３に添って取り付けた状態においてスイッチ動作を確実に実行させ異常状態を的確に検知することが可能となる。
【００５７】
図１３は、本実施例３に係る曲がり長尺スイッチ１Ｂのスイッチ部収容部２８、２８に、各々スイッチ部５を収容した状態を示すものである。この場合には、２個のスイッチ部５を並列接続しておくことで、外殻部分２６に作用する外力Ｆ１がＸ方向から作用する場合の他、外殻部分２６に対してＸ方向両側の斜め方向から作用する場合にまで曲がり長尺スイッチ１Ｂの応答範囲を広げ、異常状態の検知能を拡大することができる。
【産業上の利用可能性】
【００５８】
本発明は、上述した場合の他、自動車、船舶等、曲がり形状の取り付け面を有する物体の所定の箇所に取り付けてスイッチ動作を確実に実行させる曲がり長尺スイッチとして幅広く活用可能である。
【図面の簡単な説明】
【００５９】
【図１】本発明の実施例１の曲がり長尺スイッチの扉の戸先部への取り付け状態を示す斜視図である。
【図２】本実施例１の曲がり長尺スイッチの断面図である。
【図３】本実施例１の曲がり長尺スイッチにおける一対の長尺電極板を示す斜視図である。
【図４】本実施例１の曲がり長尺スイッチの動作説明図である。
【図５】本実施例１の変形例の曲がり長尺スイッチの断面図である。
【図６】本実施例１の変形例の曲がり長尺スイッチの動作説明図である。
【図７】本発明の実施例２の曲がり長尺スイッチの扉の戸先部への取り付け状態を示す斜視図である。
【図８】本実施例２の曲がり長尺スイッチの断面図である。
【図９】本実施例２の曲がり長尺スイッチの動作説明図である。
【図１０】本実施例２の曲がり長尺スイッチにおける力方向変換部材の変形例を示す斜視図である。
【図１１】本発明の実施例３の曲がり長尺スイッチの断面図である。
【図１２】本実施例３の変形例の曲がり長尺スイッチの動作説明図である。
【図１３】本実施例３の曲がり長尺スイッチにおける２個のスイッチ部を収容した状態の断面図である。
【図１４】従来の長尺スイッチの一例を示す斜視図である。
【図１５】従来の長尺スイッチの一対の電極板を示す斜視図である。
【図１６】従来の長尺スイッチの使用例を示す斜視図である。
【符号の説明】
【００６０】
１    長尺スイッチ
１Ａ  長尺スイッチ
１Ｂ  長尺スイッチ
２    扉
３    戸先部
４    長尺電極板
５    スイッチ部
５ａ  スイッチ外被
５ｂ  力受部
６    外被
７    内装体
７ａ  受圧部
７ｂ  変形部
７ｃ  突片
７ｄ  中空部
８    取付体
８ａ  取付面
８ｃ  嵌合受部
８ｄ  受穴
１１    スイッチ部収容部
１２    受圧部
１３    変形部
１３ａ  突出端
１４    内装体
１５    外被
１６    突片
１６ａ  連結部
２１    長尺スイッチ
２２    外被
２３    力方向変換部材
２３Ａ  力方向変換部材
２３ａ  一端
２３ｂ  他端
２３ｃ  突出部
２４    スリット部
２５    外被
２６    外殻部分
２７    非変形部
２７ａ  壁面
２８    スイッチ部収容部
２９    内装体
Ｆ１    外力
Ｆ２    力
【図１】
2006100035.tif 000003
【図２】
2006100035.tif 000004
【図３】
2006100035.tif 000005
【図４】
2006100035.tif 000006
【図５】
2006100035.tif 000007
【図６】
2006100035.tif 000008
【図７】
2006100035.tif 000009
【図８】
2006100035.tif 000010
【図９】
2006100035.tif 000011
【図１０】
2006100035.tif 000012
【図１１】
2006100035.tif 000013
【図１２】
2006100035.tif 000014
【図１３】
2006100035.tif 000015
【図１４】
2006100035.tif 000016
【図１５】
2006100035.tif 000017
【図１６】
2006100035.tif 000018
【手続補正書】
【提出日】平成16年10月27日(2004.10.27)
【手続補正１】
【補正対象書類名】明細書
【補正対象項目名】００２５
【補正方法】変更
【補正の内容】
【００２５】
前記取付体８は、例えば合成樹脂材により形成され、Ｘ方向側の一方の端面には前記戸先部３への取付面８ａを備え、取付面８ａの反対側には前記ハの字状の突片７ｃ、７ｃがＺ方向から嵌合可能なハの字状を呈する嵌合受部８ｃ、８ｃを設けている。そして、前記内装体７と前記取付体８とを嵌合状態とし、前記取付面８ａを前記戸先部３に添って接着による貼り付け又はボルト止め等の手段で取り付け、固定するように構成している。
【手続補正２】
【補正対象書類名】明細書
【補正対象項目名】００３８
【補正方法】変更
【補正の内容】
【００３８】
（実施例２）
図７を参照して本発明の実施例２の曲がり長尺スイッチ２１に付いて説明する。なお、実施例２の曲がり長尺スイッチ２１において、図１、図２に示す曲がり長尺スイッチ１の場合と同一の要素には同一の符号を付して示す。
【手続補正３】
【補正対象書類名】明細書
【補正対象項目名】００５９
【補正方法】変更
【補正の内容】
【００５９】
【図１】本発明の実施例１の曲がり長尺スイッチの扉の戸先部への取り付け状態を示す斜視図である。
【図２】本実施例１の曲がり長尺スイッチの断面図である。
【図３】本実施例１の曲がり長尺スイッチにおける一対の長尺電極板を示す斜視図である。
【図４】本実施例１の曲がり長尺スイッチの動作説明図である。
【図５】本実施例１の変形例の曲がり長尺スイッチの断面図である。
【図６】本実施例１の変形例の曲がり長尺スイッチの動作説明図である。
【図７】本発明の実施例２の曲がり長尺スイッチの扉の戸先部への取り付け状態を示す斜視図である。
【図８】本実施例２の曲がり長尺スイッチの断面図である。
【図９】本実施例２の曲がり長尺スイッチの動作説明図である。
【図１０】本実施例２の曲がり長尺スイッチにおける力方向変換部材の実施例を示す斜視図である。
【図１１】本発明の実施例３の曲がり長尺スイッチの断面図である。
【図１２】本実施例３の変形例の曲がり長尺スイッチの動作説明図である。
【図１３】本実施例３の曲がり長尺スイッチにおける２個のスイッチ部を収容した状態の断面図である。
【図１４】従来の長尺スイッチの一例を示す斜視図である。
【図１５】従来の長尺スイッチの一対の電極板を示す斜視図である。
【図１６】従来の長尺スイッチの使用例を示す斜視図である。
【手続補正４】
【補正対象書類名】図面
【補正対象項目名】図１
【補正方法】変更
【補正の内容】
【図１】
2006100035.tif 000019
【手続補正５】
【補正対象書類名】図面
【補正対象項目名】図７
【補正方法】変更
【補正の内容】
【図７】
2006100035.tif 000020
【手続補正６】
【補正対象書類名】図面
【補正対象項目名】図１４
【補正方法】変更
【補正の内容】
【図１４】
2006100035.tif 000021
【手続補正７】
【補正対象書類名】図面
【補正対象項目名】図１５
【補正方法】変更
【補正の内容】
【図１５】
2006100035.tif 000022